(57)【特許請求の範囲】
【請求項１】
送信端がダウンリンク制御情報ＤＣＩを使用して、許可されていないキャリアを占用する時間情報を記述し、前記ＤＣＩを物理制御チャネルＰＤＣＣＨ、強化物理制御チャネルｅＰＤＣＣＨ、又は約束したリソースにおいてベアラし、許可されたキャリア又は前記許可されていないキャリアによって前記ＤＣＩを送信すること、を含み、
前記時間情報は、開始サブフレーム、及び開始サブフレームから連続に占用されるサブフレームの個数を含み、
前記送信端がＤＣＩを使用して、許可されていないキャリアを占用する時間情報を記述することは、
前記送信端がＤＣＩを使用して、自身が許可されていないキャリアを占用する時間情報を記述することと、
前記送信端がＤＣＩを使用して、その他の送信端が許可されていないキャリアを占用する時間情報を記述することと、のいずれかの一つを含むことを特徴とする情報送信方法。
【請求項２】
前記時間情報は、アップリンクとダウンリンクが同一のキャリアを共用する場合に、送信端が占用したダウンリンク送信時間と送信端のアップリンク受信時間を含み、或いは送信端が占用したダウンリンク送信時間のみを含み、或いは送信端が占用したダウンリンク送信時間と送信端の一部のアップリンク受信時間を含むことを特徴とする請求項１に記載の情報送信方法。
【請求項３】
前記送信端がＤＣＩを使用して、許可されていないキャリアを占用する前記時間情報を記述することは、
前記送信端がサブフレームの最初の１つ、又は２つ、又は３つ、又は４つのＯＦＤＭ符号におけるＰＤＣＣＨを使用して、前記時間情報をベアラすることと、
前記送信端がサブフレームの第２のタイムスロットのＯＦＤＭ符号におけるＰＤＣＣＨを使用して、前記時間情報をベアラすることと、
前記送信端がサブフレームの予め設定されたリソース位置を使用して、前記時間情報をベアラすることと、のいずれかの方式の一つを含むことを特徴とする請求項１に記載の情報送信方法。
【請求項４】
前記送信端がＤＣＩを使用して、許可されていないキャリアを占用する時間情報を記述することは、
前記送信端が現在のサブフレームにおいて、次のサブフレームが前記送信端に使用されるか否かを指示することを含むことを特徴とする請求項１に記載の情報送信方法。
【請求項５】
前記送信端がＤＣＩを使用して、許可されていないキャリアを占用する時間情報を記述することは、
前記送信端が予め設定されたＤＣＩフォーマットに応じて、ＤＣＩを使用して許可されていないキャリアを占用する前記時間情報を記述することと、
前記送信端が前記ＤＣＩに対して、約束した無線ネットワーク一時的アイデンティティＲＮＴＩを使用してスクランブリングし、且つＰＤＣＣＨ又はｅＰＤＣＣＨの共通検索領域或いは約束リソースにおいて前記ＤＣＩを送信することと、を含み、
前記予め設定されたＤＣＩフォーマットは、ＤＣＩフォーマット３、３Ａ、１Ｃ、対応したビット数が唯一であるＤＣＩフォーマット、のいずれかのフォーマットの一つを含むことを特徴とする請求項１に記載の情報送信方法。
【請求項６】
前記時間情報は、サブフレームを単位として記述され、或いはＯＦＤＭ符号を単位として記述され、或いはタイムスロットを単位として記述され、
前記時間情報は、前記送信端又はその他の送信端によって占用される予定のサブフレーム、ＯＦＤＭ符号又はタイムスロットを記述することを特徴とする請求項１〜５のいずれか１項に記載の情報送信方法。
【請求項７】
前記時間情報が、前記送信端又はその他の送信端によって占用される予定のサブフレームを記述することは、
前記時間情報は、現在のサブフレームから連続どのぐらいのサブフレームが占用されるかを記述することと、
前記時間情報は、占用される予定のサブフレームパターンを記述することと、のいずれかの方式の一つを含むことを特徴とする請求項１に記載の情報送信方法。
【請求項８】
前記送信端がＤＣＩを使用して、許可されていないキャリアを占用する時間情報を記述することは、
前記送信端が占用された一番目のサブフレームにおいて前記時間情報を記述するＤＣＩを送信することと、
前記ＤＣＩは現在残りの占用サブフレーム情報を記述することと、
前記送信端が現在のサブフレームにおいて、次のサブフレームが前記送信端に使用されるか否かを指示することと、
前記送信端が前記ＤＣＩにおける全部のビット又は一部のビットを使用して、許可されていないキャリアを占用する時間情報を記述することと、のいずれかの方式の一つを含むことを特徴とする請求項１に記載の情報送信方法。
【請求項９】
前記許可されていないキャリアを占用する時間情報は、送信端が一回のデータ伝送を実行するために、許可されていないキャリアをプリエンプトする時間長さを記述することを含むことを特徴とする請求項１に記載の情報送信方法。
【請求項１０】
送信端に位置する情報送信装置であって、
物理制御チャネルＰＤＣＣＨ又は強化物理制御チャネルｅＰＤＣＣＨ、又は約束したリソースにおいて送信されたダウンリンク制御情報ＤＣＩを使用して、許可されていないキャリアを占用する時間情報を記述するように設定される記述モジュールと、
許可されたキャリア又は前記許可されていないキャリアによって前記ＤＣＩを送信するように設定される送信モジュールと、を備え、
前記時間情報は、開始サブフレーム、及び開始サブフレームから連続に占用されるサブフレームの個数を含み、
前記記述モジュールがＤＣＩを使用して、許可されていないキャリアを占用する時間情報を記述することは、
ＤＣＩを使用して、前記送信端が許可されていないキャリアを占用する時間情報を記述することと、
ＤＣＩを使用して、その他の送信端が許可されていないキャリアを占用する時間情報を記述することと、のいずれかの一つを含むことを特徴とする情報送信装置。
【請求項１１】
前記時間情報は、アップリンクとダウンリンクが同一のキャリアを共用する場合に、送信端が占用したダウンリンク送信時間と送信端のアップリンク受信時間を含み、或いは送信端が占用したダウンリンク送信時間のみを含み、或いは送信端が占用したダウンリンク送信時間と送信端の一部のアップリンク受信時間を含むことを特徴とする請求項１０に記載の情報送信装置。
【請求項１２】
前記記述モジュールがＤＣＩを使用して、許可されていないキャリアを占用する前記時間情報を記述することは、
サブフレームの最初の１つ、又は２つ、又は３つ、又は４つのＯＦＤＭ符号におけるＰＤＣＣＨを使用して、前記時間情報をベアラすることと、
サブフレームの第２のタイムスロットのＯＦＤＭ符号におけるＰＤＣＣＨを使用して、前記時間情報をベアラすることと、
サブフレームの予め設定されたリソース位置を使用して、前記時間情報をベアラすることと、のいずれかの方式の一つを含むことを特徴とする請求項１０に記載の情報送信装置。
【請求項１３】
前記記述モジュールがＤＣＩを使用して、許可されていないキャリアを占用する時間情報を記述することは、
現在のサブフレームにおいて、次のサブフレームが前記送信端に使用されるか否かを指示することを含むことを特徴とする請求項１０に記載の情報送信装置。
【請求項１４】
前記記述モジュールがＤＣＩを使用して、許可されていないキャリアを占用する時間情報を記述することは、
予め設定されたＤＣＩフォーマットに応じて、ＤＣＩを使用して許可されていないキャリアを占用する前記時間情報を記述することと、
前記ＤＣＩに対して、約束した無線ネットワーク一時的アイデンティティＲＮＴＩを使用してスクランブリングし、且つＰＤＣＣＨ又はｅＰＤＣＣＨの共通検索領域或いは約束リソースにおいて前記ＤＣＩを送信することと、を含み、
前記予め設定されたＤＣＩフォーマットは、ＤＣＩフォーマット３、３Ａ、１Ｃ、対応したビット数が唯一であるＤＣＩフォーマット、のいずれかのフォーマットの一つを含むことを特徴とする請求項１０に記載の情報送信装置。
【請求項１５】
前記時間情報は、サブフレームを単位として記述され、或いはＯＦＤＭ符号を単位として記述され、或いはタイムスロットを単位として記述され、
前記時間情報は、前記送信端又はその他の送信端によって占用される予定のサブフレーム、ＯＦＤＭ符号又はタイムスロットを記述することを特徴とする請求項１０〜１４のいずれか１項に記載の情報送信装置。
【発明の詳細な説明】
【技術分野】
【０００１】
本発明は通信分野に関し、具体的に、情報送信方法、情報受信方法、装置及びシステムに係り、特にその中の情報送信方法及び装置に関する。
【背景技術】
【０００２】
これまで、ＬＴＥは許可されたキャリアに配備して運営するものであることが知られる。しかし、ＬＴＥの進化に伴って、２０１３年の下半期にいくつかの会社（例えばクアルコム）はＬＴＥが許可されていないキャリアに配備される課題を研究することを提案する。しかし、これまで、まだＬＴＥにより受け入っていない、且つプロジェクトを立ていない。
【０００３】
クアルコムが与えたプロジェクトを立てる理由は主に、データサビースの急成長に伴って、近い将来に、認可されたスペクトルはこのような巨大なデータ量を受けることができない。このため、認可されていないスペクトルにＬＴＥを配備することを考えて、認可されていないスペクトルによって許可されたキャリアにおけるデータ流量を分担することを提案する。
【０００４】
また、認可されていないスペクトルに対して、数多くの優勢も存在する。例えば、認可されていないスペクトルは以下の特徴と優位性を有する。
１. 無料/低価格（非スペクトルを買う必要がなく、スペクトルリソースはゼロコストである）。
２. アクセス要求が低く、コストが低く（個人、企業はいずれも配備に参加でき、機器メーカーの機器は任意である）。
３. リソースシェア（複数の異なるシステムはその中に運転する際、又は同一のシステムの異なるオペレータがその中に運営する際に、いくつかのシェアリソースの方式を考えて、スペクトル効率を向上させることができる）。
４. 無線アクセス技術が多い（異なる通信標準を跨ぎ、協力が難しく、ネットワークトポロジーが多様である）。
５. 無線アクセスサイトが多い (ユーザ数量が大きく、協力難度が大きく、集中管理のオーバーヘッドが大きい)。
６. 応用が多い（データから、マルチサビース、例えばMachine to machine （Ｍ２Ｍ）、Vehicle to vehicle（Ｖ２Ｖ））が言及されてその中に運営できる。
【０００５】
上記の基本特徴は、認可されていないスペクトルが無線通信システムの一つの重要な進化方向である可能性があるが、同時に数多くの問題が存在する。例えば、認可されていないスペクトルに様々な無線システムが存在し、互いに協調しにくく、ひどく干渉する。
【０００６】
ＬＴＥシステムは許可されていないキャリアで運営すると、ＬＴＥ基地局は許可されていないキャリアリソースをプリエンプトした際に、如何にその他の近所基地局に通知するか。
【０００７】
関連技術における基地局の間で如何に互いに許可されていないキャリアの占用状況を通知するかという問題について、従来、まだ有効な解決手段を提出していない。
【発明の概要】
【発明が解決しようとする課題】
【０００８】
本発明の実施例は関連技術における基地局の間で如何に互いに許可されていないキャリアの占用状況を通知するかという問題を少なくとも解決するような、情報送信方法及び装置を提供する。
【課題を解決するための手段】
【０００９】
本発明の一実施例によれば、情報送信方法を提供し、送信端がダウンリンク制御情報ＤＣＩ /アップリンク制御情報ＵＣＩを使用して許可されていないキャリアを占用する時間情報を記述するステップと、前記送信端が許可されたキャリア又は前記許可されていないキャリアによって前記ＤＣＩ/ＵＣＩ情報を送信するステップと、を含む。
【００１０】
送信端がＤＣＩ/ＵＣＩ情報を使用して許可されていないキャリアを占用する時間情報を記述することは、前記送信端がＤＣＩ情報を使用して自分が許可されていないキャリアを占用する時間情報を記述すること、前記送信端がＤＣＩ/ＵＣＩ情報を使用してその他の送信端が許可されていないキャリアを占用する時間情報を記述することの一つを含む。
【００１１】
前記送信端がＤＣＩ情報を使用して自分が許可されていないキャリアを占用する時間情報を記述することは、前記送信端が基地局である場合に、上記送信端が同時に許可されていないキャリアにおいてプライマリ同期信号ＰＳＳ/セカンダリ同期信号ＳＳＳと物理報知チャネルＰＢＣＨ、及び物理制御フォーマット指示チャネルＰＣＦＩＣＨと物理制御チャネルＰＤＣＣＨ/強化物理制御チャネルｅＰＤＣＣＨに必要な復調信号セル参照信号ＣＲＳ又は復調参照信号ＤＭＲＳを送信すること、或いは、前記送信端が許可されていないキャリアと上記送信端の許可されたキャリアを厳密に整列することを確保すること、前記送信端が許可されていないキャリアに前記送信端の許可されたキャリアのタイミングに従って前記ＤＣＩ情報を送信すること、を含む。
【００１２】
前記送信端が許可されていないキャリアに前記送信端の許可されたキャリアのタイミングに従って前記ＤＣＩ情報を送信することは、前記受信端の許可されたキャリアが複数である場合に、前記送信端が前記許可されていないキャリアに前記複数の許可されたキャリアの中の少なくとも一つの許可されたキャリアのタイミングと厳密に整列することを含む。
【００１３】
前記送信端が前記許可されていないキャリアに前記複数の許可されたキャリアの中の少なくとも一つの許可されたキャリアのタイミングと厳密に整列することは、前記送信端が前記許可されていないキャリアに、前記送信端が備えた最小周波数のキャリアのタイミングと厳密に整列することを含む。
【００１４】
前記送信端が前記許可されたキャリア又は前記許可されていないキャリアによって前記ＤＣＩ/ＵＣＩ情報を送信することは、前記送信端が前記許可されたキャリア又は前記許可されていないキャリアのダウンリンクキャリア又はアップリンクキャリアで、前記ＤＣＩ/ＵＣＩ情報を送信することを含む。
【００１５】
前記送信端が前記許可されたキャリア又は前記許可されていないキャリアによって前記ＤＣＩ情報を送信することは、前記送信端が前記許可されたキャリア又は前記許可されていないキャリアのＰＤＣＣＨ/ｅＰＤＣＣＨによって、或いは約束したリソースに前記ＤＣＩ情報を送信することを含む。
【００１６】
送信端がＤＣＩ情報を使用して許可されていないキャリアを占用する前記時間情報を記述することは、前記送信端がサブフレームの最初の１つ又は２つ又は３つ又は４つのＯＦＤＭ符号におけるＰＤＣＣＨを使用して前記時間情報をベアラすること、前記送信端がサブフレームの第２のタイムスロットのＯＦＤＭ符号におけるＰＤＣＣＨを使用して前記時間情報をベアラすること、及び前記送信端がサブフレームの予め設定されたリソース位置を使用して前記時間情報をベアラすること、の少なくとも一つを含む。
【００１７】
前記方法は、アップリンクとダウンリンクが同一のキャリアを共用する場合に、前記時間情報は送信端が占用したダウンリンク送信時間と送信端のアップリンク受信時間を含むこと、或いは前記時間情報は送信端が占用したダウンリンク送信時間を含むが、送信端のアップリンク受信時間を含まないこと、或いは前記時間情報は送信端が占用したダウンリンク送信時間と送信端の一部のアップリンク受信時間を含むこと、を更に含む。
【００１８】
前記送信端がＤＣＩ情報を使用して許可されていないキャリアを占用する前記時間情報を記述することは、前記送信端がＰＣＦＩＣＨチャネルによって前記時間情報をベアラする位置を指示することを更に含む。
【００１９】
前記送信端が許可されたキャリア又は前記許可されていないキャリアによって前記ＤＣＩ/ＵＣＩ情報を送信することは、前記送信端が基地局である場合に、前記送信端が約束したキャリア位置の物理リソースブロックＰＲＢにおけるｅＰＤＣＣＨチャネルを使用して前記ＤＣＩを送信することを含む。
【００２０】
送信端がＤＣＩ情報を使用して許可されていないキャリアを占用する時間情報を記述することは、前記送信端が現在のサブフレームにおいて、次のサブフレームが前記送信端に使用されるか否かを指示することを含む。
【００２１】
送信端がＤＣＩ情報を使用して許可されていないキャリアを占用する時間情報を記述することは、前記送信端が予め設定されたＤＣＩフォーマットに応じて、ＤＣＩ情報を使用して許可されていないキャリアを占用する前記時間情報をベアラすることを含む。
【００２２】
前記予め設定されたＤＣＩフォーマットはＤＣＩフォーマット３、３Ａ、１Ｃ、及び対応したビット数が唯一であるＤＣＩフォーマットの少なくとも一つを含む。
【００２３】
前記送信端が許可されたキャリア又は前記許可されていないキャリアによって前記ＤＣＩ/ＵＣＩ情報を送信することは、前記送信端が前記ＤＣＩ情報に対して約束した無線ネットワーク一時的アイデンティティＲＮＴＩを使用してスクランブリングし、且つＰＤＣＣＨ/ｅＰＤＣＣＨの共通検索領域或いは約束リソースに前記ＤＣＩ情報を送信することを含む。
【００２４】
前記時間情報がサブフレームを単位として記述され、或いはＯＦＤＭ符号を単位として記述され、或いはタイムスロットを単位として記述される。
【００２５】
前記時間情報がサブフレームを単位として記述され、或いはＯＦＤＭ符号を単位として記述され、或いはタイムスロットを単位として記述されることは、前記時間情報が前記送信端又はその他の送信端によって占用されるサブフレーム、ＯＦＤＭ符号又はタイムスロットに記述されることを含む。
【００２６】
前記時間情報が前記送信端又はその他の送信端によって占用されるサブフレームに記述されることは、前記時間情報が、現在のサブフレームから連続的にどのぐらいのサブフレームが占用されるかを記述すること、前記時間情報が、あるサブフレームから、連続的に占用されるサブフレームの個数を記述すること、前記時間情報が、占用されるサブフレームパターンを記述すること、の少なくとも一つを含む。
【００２７】
前記時間情報が占用されるサブフレームパターンを記述することは、一回で許可できる最大の占用サブフレーム数がＮであり、且つＮがＤＣＩのビット数以下であると、ＤＣＩにおける最初のＮ個のビットを使用して、ビットマッピング方式で前記送信端又はその他の送信端が占用したサブフレームを記述することを含む。
【００２８】
前記時間情報は、前記送信端が占用した許可されていないキャリアにおいて占用される周波数情報を更に含み、前記周波数情報は、物理リソースブロックＰＲＢ情報、サブキャリア情報、帯域幅情報の少なくとも一つを含む。
【００２９】
送信端がＤＣＩ情報を使用して許可されていないキャリアを占用する時間情報を記述することは、前記送信端が占用された各サブフレームに前記時間情報を記述するＤＣＩ情報を送信することを含む。
【００３０】
前記送信端が占用された各サブフレームに前記時間情報を記述するＤＣＩ情報を送信することは、前記ＤＣＩ情報は現在残りの占用サブフレーム情報を記述することを更に含む。
【００３１】
送信端がＤＣＩ情報を使用して許可されていないキャリアを占用する時間情報を記述することは、前記送信端が占用された一番目のサブフレームにおいて前記時間情報を記述するＤＣＩ情報を送信することを含む。
【００３２】
前記ＤＣＩ情報の内容は、前記ＤＣＩに許可されていないキャリアを占用する時間情報を記述する方式を指示するビット、許可されていないキャリアを占用する時間情報を記述するビットの少なくとも一つを含む。
【００３３】
前記ＤＣＩ情報の内容は、前記ＤＣＩにビットマッピング方式、或いは連続プリエンプション方式を含むリソースプリエンプション方式を記述することを指示するビット、前記ＤＣＩに現在のサブフレームから始める時刻、或いは次のサブフレームから始める時刻を含むリソースプリエンプション時刻を記述することを指示するビットの少なくとも一つを含む。
【００３４】
前記送信端が許可されたキャリア又は前記許可されていないキャリアによって前記ＤＣＩ/ＵＣＩ情報を送信することは、異なる共通のＲＮＴＩを使用することによって前記ＤＣＩにビットマッピング方式、或いは連続プリエンプション方式を含むリソースプリエンプション方式を記述するビットの位置を指示すること、及び/又は、異なる共通のＲＮＴＩを使用することによって前記ＤＣＩに現在のサブフレームから始める時刻、或いは次のサブフレームから始める時刻を含むリソースプリエンプション時刻を記述するビットの位置を指示することを含む。
【００３５】
前記許可されていないキャリアを占用する時間情報とは、送信端が一回のデータ伝送を実行するために、許可されていないキャリアをプリエンプトする時間長さを指す。
【００３６】
送信端がＤＣＩ/ＵＣＩ情報を使用して許可されていないキャリアを占用する時間情報を記述することは、前記送信端が前記ＤＣＩ/ＵＣＩにおける全部のビット又は一部のビットを使用して許可されていないキャリアを占用する時間情報を記述することを含む。
【００３７】
前記送信端は、基地局、中継局、端末ＵＥを含む。
【００３８】
本発明の他の実施例によれば、情報受信方法を提供し、受信端が許可されていないキャリアのダウンリンク制御情報ＤＣＩ/アップリンク制御情報ＵＣＩ情報を傍受することを含み、前記ＤＣＩ/ＵＣＩ情報は前記受信端が近所の送信端の前記許可されていないキャリアを占用する時間情報を取得することに用いられる。
【００３９】
前記受信端は許可されていないキャリアのＤＣＩ/ＵＣＩ情報を傍受した後に、前記受信端は前記時間情報に基づき自分が許可されていないキャリアへの使用ポリシーを確定することを更に含む。
【００４０】
前記時間情報に基づき自分が許可されていないキャリアへの使用ポリシーを確定することは、前記受信端が前記時間情報に基づき前記許可されていないキャリアを占用し続けるか否かを確定すること、前記受信端が前記時間情報に基づき下位端末ＵＥのスケジューリングポリシーを確定すること、前記受信端は許可されていないキャリアを使用する必要がある場合、前記時間情報に基づきその他の基地局が許可されていないキャリアを使用していないことを確定し、或いはその他の基地局は使用しているが前記受信端が前記許可されていないキャリアを使用することに影響を及ぼさないことを確定すること、前記受信端はそれに属するＵＥ又はマイクロセルが転送した近所の基地局が前記許可されていないキャリアを占用する時間情報を受信する場合に、前記受信端は前記時間情報に基づきビームフォーミング技術を使用して前記ＵＥ又はマイクロセルにデータを伝送するかどうかを確定すること、の少なくとも一つを含む。
【００４１】
受信端が許可されていないキャリアのＤＣＩ/ＵＣＩ情報を傍受することは、前記受信端が基地局である場合に、前記受信端は異なる認可周波数でそれぞれ同期して、前記ＤＣＩを送信する送信端のセルアイデンティティを取得し、前記受信端が前記セルアイデンティティに基づき物理制御フォーマット指示チャネルＰＣＦＩＣＨと物理制御チャネルＰＤＣＣＨを受信して、或いはＰＣＩＦＣＨを受信せずに直接に強化物理制御チャネルｅＰＤＣＣＨを受信し、前記ＤＣＩを取得するようにすること、或いは、前記受信端がＵＥである場合に、前記受信端は異なる認可周波数でそれぞれ同期して、前記ＤＣＩを送信する送信端のセルアイデンティティを取得し、前記受信端は前記セルアイデンティティに基づきＰＣＦＩＣＨとＰＤＣＣＨを受信し、或いはＰＣＩＦＣＨを受信せずに直接にｅＰＤＣＣＨを受信し、前記ＤＣＩを取得するようにし、且つ前記ＤＣＩをＵＣＩ或いは無線リソース制御ＲＲＣシグナリングによって所属基地局に通知すること、を含む。
【００４２】
受信端が許可されていないキャリアのＤＣＩ情報を傍受することは、前記受信端が送信端基地局のプライマリ同期信号ＰＳＳ/セカンダリ同期信号ＳＳＳ、物理報知チャネルＰＢＣＨを受信し、次にＰＣＦＩＣＨとＰＤＣＣＨ/ｅＰＤＣＣＨを受信すること、或いは、前記受信端と許可されたキャリアとの同期を実現し、次に前記受信端は前記許可されたキャリアのタイミングに従って前記許可されていないキャリアに前記ＤＣＩを送信する位置を確定し、前記受信端は前記ＤＣＩの位置に基づき前記ＤＣＩ情報を受信すること、を含む。
【００４３】
受信端が許可されていないキャリアのＤＣＩ/ＵＣＩ情報を傍受することは、前記受信端がサブフレームの最初の１つ又は２つ又は３つ又は４つのＯＦＤＭ符号におけるＰＤＣＣＨによって前記時間情報を受信すること、前記受信端がサブフレームの第２のスロット部分のＯＦＤＭ符号における物理報知チャネルＰＤＣＣＨによって前記時間情報を受信すること、前記受信端がサブフレームの予め設定されたリソース位置におけるＰＤＣＣＨ/ｅＰＤＣＣＨによって前記時間情報を受信すること、の一つを含む。
【００４４】
受信端が許可されていないキャリアのＤＣＩ情報を傍受することは、前記受信端が約束したＤＣＩフォーマットに従って前記許可されていないキャリアのＰＤＣＣＨ/ｅＰＤＣＣＨ、或いは約束したリソースに前記時間情報を受信することを含む。
【００４５】
前記受信端は約束したＤＣＩフォーマットに従ってＰＤＣＣＨ/ｅＰＤＣＣＨ、或いは約束したリソースに前記時間情報を受信する前に、前記受信端はＤＣＩにおけるビットに基づき、その他のサイトが許可されていないキャリアを占用する時間情報を確定すること、或いは、前記受信端はＤＣＩにおけるビットに基づき、前記ＤＣＩにおける前記時間情報を記述するビットの位置及び/又は意味を確定すること、を更に含む。
【００４６】
受信端が許可されていないキャリアのＤＣＩ/ＵＣＩ情報を傍受することは、受信端が前記許可されていないキャリアのアップリンクキャリアで前記ＤＣＩ/ＵＣＩ情報を受信していると、ＤＣＩ/ＵＣＩ情報が記述したのは送信端の近くのその他の基地局が許可されていないキャリアを占用する時間情報であることを確定することを含む。
【００４７】
受信端が許可されていないキャリアのＤＣＩ/ＵＣＩ情報を傍受することは、前記受信端が前記許可されていないキャリアでサブフレームの１つずつに前記ＤＣＩ/ＵＣＩ情報を傍受するように、許可されていないキャリアの占用状況を確定すること、或いは、前記受信端がその他のサイトが占用した許可されていないキャリアの最初のサブフレームで前記ＤＣＩ/ＵＣＩ情報を受信して、許可されていないキャリアが占用された前記時間情報を受信した後に、該許可されていないキャリアの占用が終了するまで前記ＤＣＩ情報を傍受しないこと、を含む。
【００４８】
前記許可されていないキャリアを占用する時間情報とは、送信端が一回のデータ伝送を実行するために、許可されていないキャリアをプリエンプトする時間長さを指す。
【００４９】
前記受信端は、基地局、中継局、端末ＵＥを含む。
【００５０】
本発明の他の実施例によれば、情報送信装置を更に提供し、送信端にあり、ＤＣＩ/ＵＣＩ情報を使用して許可されていないキャリアを占用する時間情報を記述するように設定される記述モジュールと、許可されたキャリア又は前記許可されていないキャリアによって前記ＤＣＩ/ＵＣＩ情報を送信するように設定される送信モジュールと、を含む。
【００５１】
前記時間情報は、サブフレームを単位として記述し、或いはＯＦＤＭ符号を単位として記述し、或いはタイムスロットを単位として記述する。
【００５２】
前記時間情報は、サブフレームを単位として記述し、或いはＯＦＤＭ符号を単位として記述し、或いはタイムスロットを単位として記述することは、前記時間情報は前記送信端又はその他の送信端によって占用されるサブフレーム、ＯＦＤＭ符号又はタイムスロットを記述することを含む。
【００５３】
前記時間情報が前記送信端又はその他の送信端によって占用されるサブフレームを記述することは、前記時間情報が現在のサブフレームからの連続的などのぐらいのサブフレームが占用されるかを記述すること、前記時間情報があるサブフレームから、連続的に占用されるサブフレームの個数を記述すること、前記時間情報が占用されるサブフレームパターンを記述すること、の少なくとも一つを含む。
【００５４】
前記時間情報は、前記送信端が占用した許可されていないキャリアにおいて占用された周波数情報を更に含み、前記周波数情報は、物理リソースブロックＰＲＢ情報、サブキャリア情報、帯域幅情報の少なくとも一つを含む。
【００５５】
本発明のさらに別の実施例によれば、情報受信装置を提供して、受信端にあり、許可されていないキャリアのＤＣＩ/ＵＣＩ情報を傍受するように設定される傍受モジュールを含み、前記ＤＣＩ/ＵＣＩ情報は前記受信端が近所の送信端の許可されていないキャリアを占用する時間情報を取得することに用いられる。
【００５６】
前記傍受モジュールは、取得ユニットを含み、前記取得ユニットは、前記受信端が基地局である場合に、異なる認可周波数でそれぞれ同期して、前記ＤＣＩを送信する送信端のセルアイデンティティを取得し、前記受信端は前記セルアイデンティティに基づき物理制御フォーマット指示チャネルＰＣＦＩＣＨと物理制御チャネルＰＤＣＣＨを受信して、或いはＰＣＩＦＣＨを受信せずに直接に強化物理制御チャネルｅＰＤＣＣＨを受信し、前記ＤＣＩを取得するようにし、或いは、前記受信端がＵＥである場合に、異なる認可周波数でそれぞれ同期して、前記ＤＣＩを送信する送信端のセルアイデンティティを取得し、前記受信端は前記セルアイデンティティに基づきＰＣＦＩＣＨとＰＤＣＣＨを受信して、或いはＰＣＩＦＣＨを受信せずに直接にｅＰＤＣＣＨを受信し、前記ＤＣＩを取得するようにし、且つ前記ＤＣＩをＵＣＩ或いは無線リソース制御ＲＲＣシグナリングによって所属基地局に通知するように設定される。
本発明の別の実施例によれば、情報送信システムを提供して、上記の情報送信装置を含み、上記の情報受信装置を更に含む。
【発明の効果】
【００５７】
本発明の実施例によれば、送信端がＤＣＩ/ＵＣＩ情報を使用して許可されていないキャリアを占用する時間情報を記述して、上記送信端が許可されたキャリア又は許可されていないキャリアによって上記ＤＣＩ/ＵＣＩ情報を送信する方式によって、関連技術における基地局の間で如何に互いに許可されていないキャリアの占用状況を通知するかという問題を解決し、無線通信システムにおいて許可されていないキャリアの協調利用のための利便を提供し、許可されていないキャリアの利用率を向上させる。
【図面の簡単な説明】
【００５８】
ここで説明した図面は本発明のさらなる理解を提供するためのものであり、本出願の一部となり、本発明の例示的な実施例及びその説明は本発明を解釈するためのものであり、本発明を不適切に限定しない。図面は、以下のとおりである。
【図１】図１は、本発明の実施例による情報送信方法のフローチャートである。
【図２】図２は、本発明の実施例による情報受信方法のフローチャートである。
【図３】図３は、本発明の実施例による情報送信装置の構造ブロック図である。
【図４】図４は、本発明の実施例による情報受信装置の構造ブロック図である。
【図５】図５は、本発明の実施例による情報送信システムの構造ブロック図である。
【図６】図６は、本発明の実施例による送信端のフローチャート１である。
【図７】図７は、本発明の実施例による送信端のフローチャート２である。
【図８】図８は、本発明の実施例による受信端のフローチャートである。
【発明を実施するための形態】
【００５９】
以下、図面を参照して実施例と結び付けながら、本発明について詳細に説明する。なお、矛盾が生じない場合には、本出願における実施例及び実施例における特徴は互いに組み合わせることができる。
【００６０】
上記問題を考慮して、本実施例においては通知のシグナリング設計と送信方法を提示する。
【００６１】
本実施例においては、情報送信方法を提供し、図１は、本発明の実施例による情報送信方法のフローチャートであり、図１に示すように、該方法は以下のステップを含む。
ステップＳ１０２： 送信端は、ダウンリンク制御情報（Downlink Control Information、ＤＣＩと略称する）/アップリンク制御情報（Uplink Control Information、ＵＣＩと略称する）を使用して、許可されていないキャリアを占用する時間情報を記述し、欧州が許可されていないキャリアに対する管制、例えばＥＴＳＩ（European Telecommunications Standards Institute）のＥＮ ３０１８９３に準拠して、送信端は、許可されていないキャリアを使用してデータを伝送する度に、チャネルビジーアイドル検出を実行して、アイドルである際、送信端によって使用でき、且つ毎回で使用できる最大時間が与えられる。占用時間情報は送信端が一回のデータ伝送を実行するために、許可されていないキャリアをプリエンプトする時間長さである。ＤＣＩ又はＵＣＩにおける全部のビット又は一部のビットを使用して、許可されていないキャリアを占用する時間情報を記述することができる。前記一部のビットを使用して、許可されていないキャリアを占用する時間情報を記述する際に、残りのビットが他の用途のために残され、或いは保留ビットとして、ＤＣＩフォーマットの総のビット数の不変を保持するようにする。
【００６２】
ステップＳ１０４： 上記送信端は、許可されたキャリア又は許可されていないキャリアによって、上記ＤＣＩ/ＵＣＩ情報を送信する。
【００６３】
本実施例は、上記ステップによって、送信端は、ＤＣＩ/ＵＣＩ情報（シグナリングとも呼ばれる）によって、許可されていないキャリアを占用する時間情報を記述し、且つ許可されたキャリア或いは許可されていないキャリアによって該ＤＣＩ/ＵＣＩ情報を送信することで、送信端が許可されていないキャリアを占用する時間情報に対するシェアを実現して、関連技術における基地局の間で如何に互いに許可されていないキャリアの占用状況を通知するかという問題を解決し、無線通信システムにおいて、許可されていないキャリアの協調利用のための利便を提供し、許可されていないキャリアの利用率を向上させる。
【００６４】
選択的に、送信端が基地局であると、基地局は、ＤＣＩ情報を使用して、自身或いはその他の基地局が許可されていないキャリアを占用する時間情報を記述でき、或いは、送信端が基地局の下位の端末（User Equipment、ＵＥと略称する）或いはマイクロセルであると、ＵＥ或いはマイクロセルは、ＵＣＩ/ＤＣＩ情報（その他のシグナリング、例えば無線リソース制御（Radio Resource Control、ＲＲＣと略称する）シグナリングを使用してもよい）を使用して得られた、その他の送信端が許可されていないキャリアを占用する時間情報を記述して、且つ所属の基地局に送信することができる。
【００６５】
選択的に、上記送信端が基地局である場合は、送信端は同時に、許可されていないキャリアにプライマリ同期信号（primary snchronization signal、ＰＳＳと略称する）/セカンダリ同期信号（secondary synchronization signal、ＳＳＳと略称する）と物理報知チャネル（Physical Broadcast Channel、ＰＢＣＨと略称する）、及び物理制御フォーマット指示チャネル（Physical Control Format Indicator Channel、ＰＣＦＩＣＨと略称する）と物理制御チャネル（Physical Downlink Control Channel、ＰＤＣＣＨと略称する）/強化物理制御チャネル（Enhanced PDCCH、ｅＰＤＣＣＨと略称する）に必要な復調信号セル参照信号（cell-specific reference signal、ＣＲＳと略称する）又は復調参照信号（Demodulation Reference signal、ＤＭＲＳと略称する）を送信でき、或いは、送信端は、許可されていないキャリアと送信端の許可されたキャリアを厳密に整列するように確保し、次に、送信端は、許可されていないキャリアに上記送信端の許可されたキャリアのタイミングに従って上記ＤＣＩ情報を送信する。
【００６６】
選択的に、上記受信端の許可されたキャリアが複数であると、送信端は、上記許可されていないキャリアに上記複数の許可されたキャリアの中の少なくとも一つの許可されたキャリアのタイミングと厳密に整列することができる。一の選択的の実施形態として、送信端は、上記許可されていないキャリアに、上記送信端が備えた最小周波数のキャリアのタイミングと厳密に整列することができる。
【００６７】
選択的に、送信端は、許可されたキャリア又は許可されていないキャリアのダウンリンクキャリア又はアップリンクキャリアにおいて上記ＤＣＩ/ＵＣＩ情報を送信することができる。ダウンリンクキャリアに対して、送信端は、許可されていないキャリア又は許可されたキャリアのＰＤＣＣＨ/ｅＰＤＣＣＨによって、或いは約束したリソースに上記ＤＣＩ情報を送信することができる。選択的のは、アップリンクとダウンリンクとが同一のキャリアを共用する場合に対して（例えば時分割複信（ＴＤＤ）ＬＴＥの場合）、送信端は、上記ＤＣＩ/ＵＣＩを使用して占用時間情報を記述する際に、時間情報は、送信端が占用したダウンリンク送信時間と送信端アップリンク受信時間を含み、或いは時間情報は、送信端が占用したダウンリンク送信時間を含むが、送信端アップリンク受信時間（アップリンク受信時間は対応した送信端により占用時間情報を送信する）を含まなく、或いは時間情報は、送信端が占用したダウンリンク送信時間を含み、送信端の一部のアップリンク受信時間（その他のアップリンク受信時間は対応した送信端により占用時間情報を送信する）を含む。また、一般的に、ＬＴＥ ＴＤＤシステムにおいていずれも固定のフレーム構造を定義し、例えば、フレーム長さが１０msで、１０個のサブフレームを含み、ダウンリンクサブフレームとアップリンクが約束され、且つアップリンク、ダウンリンクサブフレームのデータ及びフレーム内での位置に基づき多種の異なったアップリンク-ダウンリンク配置に分けられ、配合比毎に約束した番号がある。このため、ＬＴＥ ＴＤＤシステムに対して、占用時間情報は約束したアップリンク-ダウンリンク配合比の番号情報（又はアップリンク-ダウンリンク配合比の比例情報）を記述するものでもある。番号情報又は前記配合比の比例情報に基づき、受信端は更に標準プロトコル取り決めを再結合した後に、送信端は具体的に占用したアップリンクサブフレームとダウンリンクサブフレームの数及び対応した位置を取得することができる。
【００６８】
選択的に、送信端が基地局である場合に、基地局は、サブフレームの最初の１つ又は２つ又は３つ又は４つの直交周波数分割多重（Orthogonal Frequency Division Multiplexing、ＯＦＤＭと略称する）符号におけるＰＤＣＣＨを使用して上記時間情報をベアラでき、或いは、基地局は、サブフレームの第２のタイムスロットのＯＦＤＭ符号におけるＰＤＣＣＨを使用して上記時間情報をベアラでき、或いは、基地局は、更にサブフレームの予め設定されたリソース位置を使用して上記時間情報をベアラできるようにしてもよい。
【００６９】
選択的に、送信端は、ＰＣＦＩＣＨチャネル指示によって上記時間情報のベアラ位置を指示できる。
【００７０】
選択的に、送信端が基地局であると、送信端は、約束したキャリア位置の物理リソースブロック（Physical Resource Block、ＰＲＢと略称する）におけるｅＰＤＣＣＨチャネルを使用して上記ＤＣＩを送信することができる。
【００７１】
選択的に、送信端は、現在のサブフレームにおいて、次のサブフレームが該送信端に使用されるか否かを指示できる。或いは最初の第１のサブフレームで、その後に連続的などのぐらいのサブフレームが占用されるかを指示する。その中に非ホロノミックサブフレームを含む。
【００７２】
選択的に、送信端は、予め設定されたＤＣＩフォーマットに従ったＤＣＩ情報を使用して、許可されていないキャリアを占用する時間情報をベアラできる。一の選択的な実施形態として、上記予め設定されたＤＣＩフォーマットは、ＤＣＩフォーマット３、３Ａ、１Ｃ、及び対応したビット数が唯一であるＤＣＩフォーマットの少なくとも一つを含むが、これらに制限されない。
【００７３】
選択的に、送信端は、上記ＤＣＩ情報について約束した無線ネットワーク一時的アイデンティティ（Radio Network Temporary Identifier、ＲＮＴＩと略称する）を使用してスクランブリングでき、且つＰＤＣＣＨ/ｅＰＤＣＣＨの共通検索領域或いは約束リソースにおいて、許可されていないキャリアを占用する時間情報を送信できる。選択的に、送信端は、前記許可されていないキャリアを占用する時間情報を含むＤＣＩビットに対して周期的冗長検査（Cyclic Redundancy Check、ＣＲＣと略称する）ビットを加え、且つ約束したＲＮＴＩを使用して前記ＣＲＣビットをスクランブリングする。
【００７４】
選択的に、上記時間情報はサブフレームを単位として記述し、或いはＯＦＤＭ符号を単位として記述し、或いはタイムスロットを単位として記述することができる。サブフレーム、又はＯＦＤＭ、又はタイムスロットを単位として記述する場合については、上記時間情報は、上記送信端又はその他の送信端によって占用されるサブフレーム、ＯＦＤＭ符号又はタイムスロットを記述することに用いることができる。
【００７５】
選択的に、時間方向において、送信端が、占用した第１のサブフレームで約束したＤＣＩフォーマット又はＵＣＩフォーマットにおけるビットを使用して、自身又はその他の送信端が占用した時間情報を記述することは、上記時間情報が現在のサブフレームからの連続的にどのぐらいのサブフレームが占用されるかを記述すること、上記時間情報があるサブフレームから、連続的に占用されたサブフレームの個数を記述すること、上記時間情報がサブフレームにおいて占用されるサブフレームパターンを記述することの少なくとも一つを含むが、これらに制限されない。上記時間情報は送信端が占用した許可されていないキャリアに具体的に占用した周波数情報（例えば物理リソースブロック（ＰＲＢｓ）情報、又はサブキャリア情報、又は帯域幅情報）を更に含んでもよい。（キャリア方向において、許可されていないキャリアに占用した第１のサブフレームを使用でき、時間でそれに整列する許可されたキャリアのサブフレームであってもよい）。
選択的に、上記時間情報がサブフレームに占用されるサブフレームのパターンを記述することは、具体的に、１回で許可できる最大占用サブフレーム数がＮであり、且つＮがＤＣＩのビット数以下であると、ＤＣＩにおける最初のＮ個のビットを使用して、ビットマッピング（bitmap）方式で上記送信端又はその他の送信端が占用したサブフレームを記述することを含んでもよい。
【００７６】
選択的に、送信端は、占用したサブフレーム毎に、上記時間情報を記述するＤＣＩ情報を送信することができる。一の選択的な実施形態として、上記ＤＣＩ情報は、現在の残りの占用サブフレーム情報のみを記述できる。例えば、現在のサブフレーム以外、さらに５個のサブフレームを占用する必要があると、現在のサブフレームでは５個のサブフレームを表示し、次のサブフレームでは４個のサブフレームを表示でき、これによって類推する。
或いは、他の選択的な実施形態として、送信端は、占用した第１のサブフレームのみで、上記時間情報を記述するＤＣＩ情報を送信できる。選択のものは、上記ＤＣＩ情報の内容は、上記ＤＣＩに許可されていないキャリアを占用する時間情報を記述する方式を指示するビット、許可されていないキャリアを占用する時間情報を記述するビットの少なくとも一つを含むが、これらに制限されない。
【００７７】
選択的に、ＤＣＩ情報の内容は、上記ＤＣＩにおいてビットマッピング（bitmap）方式、連続プリエンプション方式等を含むリソースプリエンプション方式を記述することを指示するビット、上記ＤＣＩにおいて現在のサブフレームから始める時刻、或いは次のサブフレームから始める時刻を含むリソースプリエンプション時刻を記述すること指示するビットの少なくとも一つを含むが、これらに制限されない。
【００７８】
選択的に、送信端は、ＤＣＩ情報のビット内容で、上記リソースプリエンプション方式及び/又はリソース  BR>vリエンプション時刻を指示しなくてもよく、例えば、異なる共通のＲＮＴＩを使用することによって、上記ＤＣＩにリソースプリエンプション方式を記述するビットの位置を指示でき、及び/又は、異なる共通のＲＮＴＩを使用することによって、上記ＤＣＩにリソースプリエンプション時刻を記述するビットの位置を指示する。
【００７９】
選択的に、上記送信端は、基地局、中継局、或いはＵＥを含んでもよい。
【００８０】
本実施例においては、情報受信方法を更に提供し、図２は、本発明の実施例による情報受信方法のフローチャートであり、図２に示すように、該方法は以下のステップを含む。  ステップＳ２０２： 受信端は、許可されていないキャリアのＤＣＩ/ＵＣＩ情報を傍受し、上記ＤＣＩ/ＵＣＩ情報は、上記受信端が、近くの送信端の該許可されていないキャリアを占用する時間情報を取得することに用いられる。
【００８１】
本実施例は、上記ステップによって、受信端は、ＤＣＩ/ＵＣＩ情報を傍受することによって、近くの送信端が記述した許可されていないキャリアを占用する時間情報を取得し、受信端は、許可されていないキャリアを占用する時間情報の取得を実現することで、該時間情報に基づき、自身が許可されていないキャリアへの使用ポリシーを確定し、関連技術における基地局の間で如何に互いに許可されていないキャリアの占用状況を通知するかという問題を解決し、無線通信システムにおいて許可されていないキャリアの協調利用のための利便を提供し、許可されていないキャリアの利用率を向上させる。
【００８２】
選択的に、上記受信端が上記時間情報に基づき、自身が許可されていないキャリアへの使用ポリシーを確定する方式は、受信端が上記時間情報に基づき許可されていないキャリアを占用し続けるか否かを確定すること、受信端が上記時間情報に基づき下位端末（ＵＥ）に対するスケジューリングポリシーを確定すること、受信端が許可されていないキャリアを使用する必要がある際に、上記時間情報に基づきその他の基地局が許可されていないキャリアを使用していないことを確定し、或いはその他の基地局が使用しているが、該受信端が上記許可されていないキャリアを使用することに影響を及ぼさないことを確定すること、受信端が、それに属するＵＥ又はマイクロセル（small cell）が転送した近くの基地局が許可されていないキャリアを占用する時間情報を受信する場合に、該受信端が上記時間情報に基づき、ビームフォーミング技術を使用して上記ＵＥ又はマイクロセルにデータを伝送するかどうかを確定すること、の少なくとも一つを含むが、これらに制限されない。
【００８３】
選択的に、受信端がＤＣＩ/ＵＣＩ情報を傍受する方式は、
上記受信端が基地局である場合に、該基地局は異なる認可周波数でそれぞれ同期して、上記ＤＣＩを送信する送信端のセルアイデンティティ（cell ID）を取得し、次に、上記セルアイデンティティに基づきＰＣＦＩＣＨとＰＤＣＣＨを受信し、或いはＰＣＩＦＣＨを受信せずに直接にｅＰＤＣＣＨを受信し、上記ＤＣＩを取得するようにすること、或いは、
上記受信端がＵＥである場合に、該ＵＥは異なる認可周波数でそれぞれ同期して、上記ＤＣＩを送信する送信端のセルアイデンティティ（cell ID）を取得し、次に、上記セルアイデンティティに基づきＰＣＦＩＣＨとＰＤＣＣＨを受信し、或いはＰＣＩＦＣＨを受信せずに直接にｅＰＤＣＣＨを受信し、上記ＤＣＩを取得するようにし、且つ上記ＤＣＩをＵＣＩ或いはＲＲＣシグナリングによって所属基地局に通知すること、を含んでもよい。
【００８４】
選択的に、受信端がＤＣＩ情報を傍受する方式は、受信端は送信端基地局のＰＳＳ/ＳＳＳ、ＰＢＣＨを受信して、次にＰＣＦＩＣＨとＰＤＣＣＨ/ｅＰＤＣＣＨを受信すること、或いは、受信端と許可されたキャリアとは同期を実現し、次に上記許可されたキャリアのタイミングで許可されていないキャリアに上記ＤＣＩを送信する位置を確定し、該受信端は上記ＤＣＩの位置に基づき上記ＤＣＩ情報を受信することを含んでもよい。
【００８５】
選択的に、送信端の記述方式に対応して、受信端がＤＣＩ/ＵＣＩ情報を傍受する方式は、受信端が、サブフレームの最初の１つ、又は２つ、又は３つ、又は４つのＯＦＤＭ符号におけるＰＤＣＣＨによって、上記時間情報を受信すること、受信端が、サブフレームの第２のタイムスロットのＯＦＤＭ符号におけるＰＤＣＣＨによって、上記時間情報を受信すること、受信端が、サブフレームの予め設定されたリソース位置におけるＰＤＣＣＨ/ｅＰＤＣＣＨによって、上記時間情報を受信することの一つを含むが、これに制限されない。
【００８６】
選択的に、受信端は、約束したＤＣＩフォーマットに従って許可されていないキャリアのＰＤＣＣＨ/ｅＰＤＣＣＨ、或いは約束したリソースに、上記時間情報を受信することができる。一の選択的な実施形態として、受信端は、ＤＣＩにおけるビットに基づき、その他のサイトが許可されていないキャリアを占用する時間情報を確定でき、或いは、ＤＣＩにおけるビットに基づき、上記ＤＣＩにおける上記時間情報を記述するビットの位置及び/又は意味を確定できる。
【００８７】
選択的に、受信端は、許可されていないキャリアのアップリンクキャリアにおいて上記ＤＣＩ/ＵＣＩ情報を受信していると、ＤＣＩ/ＵＣＩ情報が記述したのは送信端の近くのその他の基地局が許可されていないキャリアを占用する時間情報であることを確定することができる。
【００８８】
選択的に、受信端は、許可されていないキャリアにおけるサブフレームの１つずつで上記ＤＣＩ/ＵＣＩ情報を傍受して、許可されていないキャリアの占用状況を確定することができ、或いは、受信端は、その他のサイトが占用する許可されていないキャリアの第１のサブフレームで上記ＤＣＩ/ＵＣＩ情報を受信して、許可されていないキャリアが占用された時間情報を取得した後に、該許可されていないキャリアの占用が終了する際は上記ＤＣＩ情報を傍受しない。
【００８９】
選択的に、上記受信端は、基地局、中継局、ＵＥを含んでもよい。
【００９０】
上記情報送信方法に対応して、本実施例においては情報送信装置を提供し、送信端に位置し、該装置は、上記実施例及び選択的な実施形態を実現するように設定され、既に行われた重複する説明は省略する。以下で使用されるように、用語「モジュール」は、予定の機能のソフトウェア及び/又はハードウェアの組み合わせを実現することができる。以下の実施例で記述した装置は、好ましくはソフトウェアで実現されるが、ハードウェア、或いはソフトウェア及びハードウェアの組み合わせでの実現も可能であることが、構想されることができる。
【００９１】
図３は、本発明の実施例による情報送信装置の構造ブロック図であり、図３に示すように、該装置は記述モジュール３２と送信モジュール３４を含み、以下、各モジュールについて詳細に説明する。
記述モジュール３２は、ＤＣＩ/ＵＣＩ情報を使用して、許可されていないキャリアを占用する時間情報を記述するように設定され、送信モジュール３４は、記述モジュール３２に接続され、許可されたキャリア又は許可されていないキャリアによって上記ＤＣＩ/ＵＣＩ情報を送信するように設定される。
【００９２】
選択的に、上記時間情報はサブフレームを単位として記述を行い、或いはＯＦＤＭ符号を単位として記述を行い、或いはタイムスロットを単位として記述することができる。その中、サブフレームを単位としてＯＦＤＭを記述する場合に対して、上記時間情報は上記送信端又はその他の送信端によって占用されるサブフレームを記述することに用いられることができる。
【００９３】
選択的に、送信端が、占用した第１のサブフレームで約束したＤＣＩフォーマット又はＵＣＩフォーマットにおけるビットを使用して自身又はその他の送信端が占用した時間情報を記述することは、上記時間情報が現在のサブフレームから連続的にどのぐらいのサブフレームが占用されるかを記述する方式、上記時間情報があるサブフレームから連続的に占用されるサブフレームの個数を記述する方式、上記時間情報がサブフレームにおいて占用されるサブフレームパターンを記述する方式の少なくとも一つを含むが、これらに制限されない。
【００９４】
上記情報受信方法に対応して、本実施例においては情報受信装置を更に提供し、受信端に位置し、図４は、本発明の実施例による情報受信装置の構造ブロック図であり、図４に示すように、該装置は傍受モジュール４２を含み、以下、各モジュールについて詳細に説明する。
傍受モジュール４２は、許可されていないキャリアのＤＣＩ/ＵＣＩ情報を傍受するように設定され、上記ＤＣＩ/ＵＣＩ情報は上記受信端が近くの送信端の許可されていないキャリアを占用する時間情報を取得することに用いられる。
【００９５】
選択的に、上記傍受モジュールは取得ユニット４２２を含んでもよく、取得ユニット４２２は、上記受信端が基地局である場合に、異なる認可周波数でそれぞれ同期して、上記ＤＣＩを送信する送信端のセルアイデンティティ（cell ID）を取得し、次に、上記セルアイデンティティに基づきＰＣＦＩＣＨとＰＤＣＣＨを受信して、或いはＰＣＩＦＣＨを受信せずに直接ｅＰＤＣＣＨを受信して、上記ＤＣＩを取得するように、或いは、上記受信端がＵＥである場合に、異なる認可周波数でそれぞれ同期して、上記ＤＣＩを送信する送信端のセルアイデンティティ（cell ID）を取得し、次に、上記セルアイデンティティに基づきＰＣＦＩＣＨとＰＤＣＣＨを受信して、或いはＰＣＩＦＣＨを受信せずに直接ｅＰＤＣＣＨを受信し、上記ＤＣＩを取得するようにし、且つ上記ＤＣＩをＵＣＩ或いはＲＲＣシグナリングによって所属基地局に通知するように設定される。
【００９６】
本実施例においては情報送信システムを更に提供し、図５は、本発明の実施例による情報送信システムの構造ブロック図であり、図５に示すように、該システムは、図３に示すような情報送信装置を含み、図では３０で示され、図４に示すような情報受信装置を更に含み、図では４０で示される。
【００９７】
以下、選択的な実施例を参照しながら説明し、以下の実施例は上記実施例及びその実施形態を結びつける。
【００９８】
以下の選択的な実施例において、基地局が許可されていないキャリアをプリエンプト/占用するキャリアリソース占用情報フォーマット、送信方式を提供し、基本的な考え方はＤＣＩ/ＵＣＩを使用して基地局が許可されていないキャリアを占用する時間情報を記述することである。
以下、送信端と受信端の両側面から詳細に該方式を説明する。
送信端の具体的な方式は、送信端は、サブフレームのＯＦＤＭ符号でＤＣＩを使用して、それ又はその他の送信端が許可されていないキャリアを占用する時間情報を送信する。
図６は、本発明の選択的な実施例による送信端のフローチャート１であり、図６に示すように、送信端のフローは、以下のステップを含む。
ステップＳ６０２： 送信端は、自身が許可されていないキャリアを占用する時間情報を記述するＤＣＩシグナリングを生成する。
ステップＳ６０４： 送信端は、許可されていないキャリアのＰＤＣＣＨ又はｅＰＤＣＣＨによって、該ＤＣＩシグナリングを送信する。
【００９９】
選択的に、図７は、本発明の選択的な実施例による送信端のフローチャート２であり、図７に示すように、該送信端がＵＥ或いは中継局マイクロセルである場合に、該送信端のフローは、以下のステップを含む。
ステップＳ７０２： 送信端（例えばＵＥ）は、受信したその他の基地局が許可されていないキャリアを占用する時間情報のＤＣＩシグナリングを、該送信端の所属基地局に転送する。
ステップＳ７０４： 該基地局は、送信端が送信したＤＣＩシグナリングを受信して、且つ該ＤＣＩシグナリングに基づき、許可されていないキャリアリソースの占用状況を確定する。
選択的に、サブフレームの最初の１つ、又は２つ、又は３つ、又は４つのＯＦＤＭ符号におけるＰＤＣＣＨが、前記時間情報をベアラすることに用いられる。
【０１００】
選択的に、ＤＣＩはＰＤＣＣＨ又はｅＰＤＣＣＨによって送信される。例えば、中間の２つ（又は４つ、又は８つ）のＰＲＢは共通チャネルのｅＰＤＣＣＨ送信（又はＬＴＥ-Ｕのチャネルの占用指示の送信として設定される）として設定されることを指定する。オーバーヘッドは２％（又は４％、又は８％）であり、ＰＤＣＣＨより小さい。可変位置も多い。
【０１０１】
選択的に、サブフレームで第２のスロットにあるＯＦＤＭ符号に前記時間情報（これは次のサブフレームが直接にアイドルに傍受される基地局によって使用されることができるためである）を送信する。或いはサブフレームの事前に約束したリソース位置において送信する。
【０１０２】
選択的に、送信端は、ＤＣＩを使用して、それ又はその他の送信端が許可されていないキャリアを占用する時間情報をベアラして、送信する。例えば、あるＤＣＩフォーマットの採用を約束し、該ＤＣＩフォーマットにおけるビットは、送信端又はその他の送信端が許可されていないキャリアを占用するサブフレーム情報を記述することに用いられる。
【０１０３】
選択的に、ＤＣＩフォーマット３は、前記時間情報を記述するために使用することができる。
【０１０４】
選択的に、約束したＲＮＴＩを使用してスクランブリングして、且つＰＤＣＣＨ共通検索領域において送信する。
【０１０５】
選択的に、時間情報はサブフレームを単位として、それらのサブフレームが送信端又はその他の送信端によって占用されることを記述する。
【０１０６】
選択的に、記述したサブフレームは、約束した一定の時間内でのサブフレームである。
【０１０７】
選択的に、記述したサブフレームは、時間方向におけるサブフレームパターンである。その中、サブフレームパターンに対応したサブフレームは、該送信端又はその他の送信端によって占用される。
【０１０８】
選択的に、前記時間占用情報は最大で１０msにすることができる。
【０１０９】
選択的に、１回で許可できる最大占用サブフレーム数がＮであり、且つＮがＤＣＩのビット数以下であると、ＤＣＩにおける前のＮ個のビットを使用して、bitmap方式で送信端又はその他の送信端がＮms内に占用したそれらのサブフレームを記述できる。その他のビットを保留ビットとして、以前と同じように送信する必要がある。
【０１１０】
選択的に、送信端は、基地局とＵＥを含む。
【０１１１】
選択的に、送信端が占用したサブフレームにおいて、サブフレームのそれぞれは前記時間情報を記述するＤＣＩを送信する。
【０１１２】
選択的に、前記サブフレームのそれぞれはＤＣＩを送信すると、ＤＣＩは占用サブフレーム情報が残りの、新しいサブフレーム占用情報であることを記述する。
【０１１３】
選択的に、送信端がＤＣＩを送信するサブフレームのタイミングと送信端の許可されたキャリアタイミングとは同様である。
【０１１４】
選択的に、前記許可されたキャリアは送信端が備えた最小周波数のキャリアである（どの許可されたキャリアを選択するかは１つの問題であり、この問題を解決しないと、許可されていないキャリアは自身の同期信号とＰＢＣＨを送信する必要がある可能性がある）。
【０１１５】
選択的に、送信端はダウンリンクキャリア又はアップリンクキャリアに送信する。
【０１１６】
選択的に、送信端がアップリンクキャリアを使用する際に、基地局はそれに割り当てられるアップリンクリソースにおいて送信する。
【０１１７】
選択的に、ＤＣＩにおけるビットは、該ＤＣＩにおいてどのような方式を採用して、許可されていないキャリアを占用する時間情報を記述するかを指示すること、及び許可されていないキャリアを占用する時間情報を記述することを含むように改めて定義される。
【０１１８】
選択的に、送信端は、基地局、中継局、ＵＥを含む。
【０１１９】
受信端の具体的な方式は、（基本的に送信端の逆である）受信端は、サブフレームＯＦＤＭ符号におけるその他の基地局が許可されていないキャリアを占用する時間情報を受信し、且つ前記時間情報に基づきその他の基地局が許可されていないキャリアを占用する時間を取得する。時間情報はＤＣＩ方式でベアラする。図８は、本発明の実施例による受信端のフローチャートであり、図８に示すように、受信端のフローは、以下のステップを含む。
ステップＳ８０２： 受信端（例えば基地局）は、近くの基地局が許可されていないキャリアにおいて送信した占用時間情報のＤＣＩシグナリング（例えば近くの基地局のＰＤＣＣＨを盲目検出（ブラインド検出）することによって得られる）を傍受する。
ステップＳ８０４： 近くの基地局のＤＣＩシグナリングに基づき許可されていないキャリアのリソース占用状況を確定する。
【０１２０】
選択的に、受信端は最初の１つ、又は２つ、又は３つ、又は４つのＯＦＤＭ符号におけるＰＤＣＣＨにおいて許可されていないキャリアの占用時間情報を受信する。或いはサブフレームの第２のスロットのＯＦＤＭ符号において前記ＤＣＩを受信する。或いはサブフレームでの事前に約束したリソース位置において受信する。
【０１２１】
選択的に、受信端は、約束したＤＣＩフォーマットでＰＤＣＣＨにおいて前記時間情報を受信する。
【０１２２】
選択的に、受信端は、ＤＣＩにおけるビットに基づき、約束したbitmap規則を利用して、その他のサイトが許可されていないキャリアを占用するサブフレームパターンを確定する。
選択的に、受信端は、アップリンクキャリアにおいて前記ＤＣＩ情報を受信して、受信端は、ＤＣＩ情報が記述したことは送信端附近のその他の基地局が許可されていないキャリアを占用する時間情報であると考える。
【０１２３】
選択的に、受信端は、サブフレームの１つずつにおいて前記ＤＣＩ情報を傍受して、許可されていないキャリアのビジーアイドル状態を確定する必要がある。
【０１２４】
選択的に、受信端は、前記ＤＣＩ情報を受信して、ＤＣＩ情報におけるビット定義に基づき、まずＤＣＩ情報がどのような方式で許可されていないキャリアを占用する時間情報を記述するかを確定し、更に許可されていないキャリアを占用する時間情報を確定する。
【０１２５】
選択的に、受信端は、基地局、中継局、ＵＥを含む。
【０１２６】
該方式によって、ＬＴＥシステムにおける、許可されていないキャリアの占用を実現でき、現在のＬＴＥ物理チャネルシグナリングを最大限そのまま用いて、ＬＴＥシステムに与える影響を最小にさせる。
【０１２７】
以下、この実施例をより詳しく説明する。
【０１２８】
この実施例の基本的な考え方は、送信端は、ＤＣＩを使用して自身又はその他の送信端が許可されていないキャリアを占用する時間情報を記述して、送信する。例えば、基地局１は、ＤＣＩ情報を採用して自身が許可されていないキャリアを占用する時間情報（例えば、どのぐらいのサブフレームを占用するか又はどのサブフレームを占用するかを記述する）を記述して、次に、送信を実行する。具体的に、ＰＤＣＣＨ又はｅＰＤＣＣＨを使用して送信でき、或いは事前に約束（或いはプロトコルによって固定される）したリソースにおいて送信することができる。また、例えば、基地局１の下位のＵＥ、又は基地局１の下位のsmall cellは近くの基地局２が送信した上記ＤＣＩ情報（基地局１は基地局２との間の距離が遠いため、エアインターフェースによって基地局２が送信した上記ＤＣＩ情報を受信できない）を受信し、次に所属基地局１に転送する。具体的な転送は以前と同じようにＤＣＩ情報を採用して送信し、或いはその他のシグナリング形式に変換して基地局１に送信し、例えばＲＲＣメッセージに変換して送信する。
【０１２９】
受信端は、許可されていないキャリアにその他の近くのサイトが上記ＤＣＩ情報を送信するのを傍受（又は受信、傍受）することで、近くのサイトの許可されていないキャリアに対する時間情報を取得し、上記時間占用情報に基づき許可されていないキャリアの占用を続けるか否か又は下位ＵＥのスケジューリングを決める。受信端は、許可されていないキャリアを使用する必要がある際に、まずその他の基地局がＤＣＩシグナリングにおける許可されていないキャリアの占用を記述するための情報を傍受する必要があり、その他の基地局の非使用、或いはその他の基地局が使用するが、自身が許可されていないキャリアを使用することにより影響を及ぼさないこと（例えば伝送方向が異なる）を確定する。
【０１３０】
受信端は、それに属するＵＥ又はsmall cellが転送した近くの基地局が許可されていないキャリアを占用した時間情報を受信することによって、受信端は、これらに基づきビームフォーミング技術を使用して、これらのＵＥ又はsmall cellにデータを伝送することを確定する。
【０１３１】
受信端が基地局である際は、基地局は、異なる認可周波数でそれぞれ同期して、上記ＤＣＩを送信する基地局のcell IDを取得して、ＰＣＦＩＣＨを受信し、ＰＤＣＣＨを受信して、又はＰＣＩＦＣＨを受信せずに、直接ｅＰＤＣＣＨを受信して、上記ＤＣＩを取得し、受信端がＵＥである際は、ＵＥは、上記過程を実行した後に、上記ＤＣＩをＵＣＩ又はアップリンクＲＲＣシグナリングで、参照として用いる所属基地局に通知する必要が更にある。
【０１３２】
送信端が基地局であると、方式（第１種）として、基地局は同時に、許可されていないキャリアにＰＳＳ/ＳＳＳとＰＢＣＨ、及びＰＣＦＩＣＨとＰＤＣＣＨ又はｅＰＤＣＣＨに必要な復調信号ＣＲＳ（ＰＤＣＣＨドメインをベアラするＯＦＤＭ符号のみに送信し、その他のＰＤＳＣＨドメインの符号には送信しない）又はＤＭＲＳを送信する必要があり、その他のサイトは許可されていないキャリアと同期させ、且つ上記ＤＣＩを復調する。他の方式（第２種）として、基地局は、許可されていないキャリアと該基地局の許可されたキャリアとが厳密に整列することを確保し、基地局は許可されていないキャリアに上記ＤＣＩ情報を送信する際に、その許可されたキャリアのタイミングで実行して、このように、許可されていないキャリアが該基地局の許可されたキャリアと同じフレーム番号、サブフレーム番号を有し、且つＯＦＤＭ符号も整列する。許可されていないキャリアにはＰＳＳ/ＳＳＳ、ＰＢＣＨを送信する必要がない。基地局は複数の許可されたキャリアを有すると、基地局が、許可されていないキャリアがある許可されたキャリアのタイミングと厳密に整列することを少なくとも保証することを約束し、例えば周波数が最低である許可されたキャリアを約束する。
【０１３３】
受信端では、送信端が前記の第１種の方式に従うと、受信端は、送信端基地局のＰＳＳ/ＳＳＳ、ＰＢＣＨを受信して次にＰＣＦＩＣＨとＰＤＣＣＨを受信する必要があり、或いは送信端基地局のＰＳＳ/ＳＳＳ、ＰＢＣＨを受信してからｅＰＤＣＣＨを受信する。送信端が前記第２種の方式に従うと、受信端は、まず許可されたキャリアと同期を実現する必要があり、次に許可されたキャリアのタイミングで許可されていないキャリアにおける上記ＤＣＩを送信する位置を確定し、受信する。
【０１３４】
送信端がＤＣＩ情報を使用して記述した自身又はその他の送信端が許可されていないキャリアを占用する時間情報は、サブフレームを単位として記述した時間情報、或いはＯＦＤＭ符号を単位として記述した時間情報、或いはタイムスロットを単位として記述した時間情報を含む。
【０１３５】
選択的に、送信端が基地局である際に、サブフレームの最初の１つ、又は２つ、又は３つ、又は４つのＯＦＤＭ符号におけるＰＤＣＣＨを使用して、上記時間情報をベアラするために使用することができる。例えば、基地局は、スケジューリングするＵＥの数の必要に応じてＰＤＣＣＨが占用したＯＦＤＭ符号数を確定でき、最初の２つのＯＦＤＭ符号であると確定すると、基地局は、最初の２つのＯＦＤＭ符号においてＰＤＣＣＨを送信し、同時にＰＣＦＩＣＨチャネルによって指示する。更に、基地局は、ＰＤＣＣＨの共通検索領域に上記ＤＣＩを送信して、且つ共通の約束したＲＮＴＩを使用してスクランブリングする必要があり、このように、その他の基地局は、ＰＣＦＩＣＨを受信して、ＰＤＣＣＨが占用したＯＦＤＭ符号数を確定し、次に、共通のＲＮＴＩを使用してＰＤＣＣＨ共通検索領域において上記ＤＣＩ（その他の基地局はＰＤＣＣＨを検索する能力を備える必要があり、現在の基地局はＰＤＣＣＨを検索する必要がない）を迅速に検索する。
【０１３６】
選択的に、上記ＤＣＩ情報はｅＰＤＣＣＨによって送信してもよい。例えば（又はプロトコルによって固定される）キャリアの中間の２つ（又は４つ、又は８つ）のＰＲＢを上記ＤＣＩ送信として設定し（又はＬＴＥは許可されていないキャリアにおける時間情報の送信として設定する）、且つｅＰＤＣＣＨチャネルで送信することを約束する。ｅＰＤＣＣＨを採用して約束リソースに上記ＤＣＩを送信し、所要のオーバーヘッドは、ＰＤＣＣＨを使用して上記ＤＣＩを送信するものより小さい。
【０１３７】
選択的に、現在のサブフレームで、次のサブフレームは送信端基地局によって使用するか否かを指示する。例えばサブフレームｎで上記ＤＣＩ情報を送信することはサブフレームｎ＋１が占用されることを記述することである。このように、その他の基地局は現在のサブフレームで傍受する際に、現在のサブフレームの上記時間情報がアイドルであると、その他の基地局が続いたサブフレームを使用することができる利便を提供する。
【０１３８】
選択的に、送信端は、ＤＣＩを使用してそれとその他の送信端が許可されていないキャリアを占用する時間情報をベアラして、且つ送信し、あるＤＣＩフォーマットの採用を約束して、該ＤＣＩフォーマットにおけるビットを送信端又はその他の送信端が許可されていないキャリアを占用するサブフレーム情報を記述するために用いる。このように、その他の基地局が検索する速度を向上させ、盲検（盲目検出）する必要があるＤＣＩフォーマットが一つ減少し、その他の基地局はこのＤＣＩフォーマットに従って盲検すればよく、その他のＤＣＩフォーマットを考える必要がない。
【０１３９】
選択的に、ＤＣＩフォーマット３、３Ａ、１Ｃを使用する。その他のＤＣＩフォーマットを使用してもよい。原則として、一つの盲目検索しやすいフォーマットを選択して、例えば該フォーマットに対応したビット数が唯一である。
【０１４０】
選択的に、上記ＤＣＩ情報は、約束したＲＮＴＩを使用してスクランブリングし、且つＰＤＣＣＨ又はｅＰＤＣＣＨの共通検索領域に送信し、或いは約束のリソースに送信する。
【０１４１】
選択的に、上記時間情報はサブフレームを単位として記述し、それらのサブフレームが送信端又はその他の送信端によって占用されることを記述する。例えば現在のサブフレームから連続的にどのぐらいのサブフレームが占用されるかを記述し、或いはあるサブフレームから、連続的ないくつかのサブフレームが占用されるかを記述し、或いは一つのサブフレーム占用パターンを記述して、パターンにおいて対応したサブフレームが占用される。
【０１４２】
選択的に、記述したサブフレームは、約束した一定の時間内のサブフレームである。例えば、占用したサブフレームの総時間長さは、ある所定の閾値を超えてはいけない。例えば、一回で情報を占用する最大時間は１０msである。
【０１４３】
選択的に、記述の時間情報は、時間方向のサブフレームパターンである。サブフレームパターンに対応したサブフレームは、該送信端又はその他の送信端によって占用される。
【０１４４】
選択的に、ＤＣＩビットの一種の使用方式は、１回で許可できる最大占用サブフレーム数がＮであり、且つＮがＤＣＩのビット数以下であると、ＤＣＩにおける最初のＮ個のビットを使用し、bitmap方式で送信端又はその他の送信端がＮms内に占用したそれらのサブフレーム（ＬＴＥにおける１つのサブフレームが１msである）を記述できる。その他のビットを保留ビットとして、依然として送信（その他の基地局の盲検のための利便を提供する）する必要がある。
【０１４５】
選択的に、送信端は、占用したサブフレームで、サブフレームのそれぞれは上記時間情報を記述するＤＣＩを送信する。
【０１４６】
選択的に、上記サブフレームのそれぞれはＤＣＩを送信すると、ＤＣＩは占用サブフレーム情報が残りの、新しいサブフレーム占用情報であることを記述する。例えば本来に送信端が５つのサブフレームを占用すると、第１のサブフレームでＤＣＩは５つのサブフレームを占用することを記述し、第２のサブフレームでＤＣＩは４つのサブフレームを占用することを記述し、使用されたサブフレームを除去する必要がある。
【０１４７】
選択的に、送信端がＤＣＩを送信するサブフレームのタイミングと送信端の少なくとも一つの許可されたキャリアのタイミングとは同じである。
【０１４８】
選択的に、上記許可されたキャリアは、送信端が備えた最小周波数のキャリアである。
【０１４９】
選択的に、送信端は、ダウンリンクキャリア又はアップリンクキャリアに送信する。
【０１５０】
選択的に、送信端は、アップリンクキャリアを使用する際に、基地局がそれに割り当てられるアップリンクリソースに送信する。
【０１５１】
選択的に、送信端は、プリエンプトした第１のサブフレームのみで、許可されていないキャリアを占用するＤＣＩ情報を送信でき、占用した後のサブフレームで送信しない。
【０１５２】
選択的に、上記ＤＣＩにおけるビットは、該ＤＣＩにはどのような方式を採用して許可されていないキャリアを占用する時間情報を記述するかを指示するビット、及び許可されていないキャリアを占用する時間情報を記述するビットを含むように改めて定義される。例えば、送信端は１つのＤＣＩにおける第１のビットを使用してどのような方式を採用して許可されていないキャリアを占用する時間情報を記述することを記述し、例えばbitmap方式又は約束サブフレームから後へ連続的などのくらいサブフレームの方式で記述し、その他のビットにおける一部又は全部のビットを使用して具体的に占用した時間情報を記述する。
【０１５３】
選択的に、ＤＣＩには１bitを設定し、ＤＣＩにおけるビットがどのような方式でリソースプリエンプションを記述するかを示すことに用いられ、例えばbitmap方式或いは連続プリエンプション方式であってもよい。
【０１５４】
選択的に、ＤＣＩには１bitを設定し、プリエンプトされたリソースは現在時刻のものであるか、未来時刻のものであるかを示すことに用いられてもよい。
【０１５５】
選択的に、ＤＣＩには同時に、ＤＣＩにおけるビットはどのような方式でリソースつかみを記述するかを示す設定をし、及びプリエンプトされたリソースは現在時刻のものであるか、未来時刻のものであるかを示し、その他のビットは占用及び解放状況を記述することに用いられることを設定をする。
【０１５６】
選択的に、異なる共通のＲＮＴＩを採用してＤＣＩにおけるビットはbitmap方式を使用するか、連続リソースプリエンプション方式を使用するかを区別する。或いは異なる共通のＲＮＴＩを使用してリソースプリエンプションは現在時刻又は未来時刻のものであるかを区別する。例えばbitmap方式のリソースプリエンプションに一つの共通のＲＮＴＩを割り当て、且つbitmap方式を使用して対応したＤＣＩにスクランブリングする。連続リソースプリエンプション方式に１つの共通のＲＮＴＩを割り当て、且つ連続リソースプリエンプション方式を使用して対応したＤＣＩにスクランブリングする。
【０１５７】
選択的に、送信端は、基地局、中継局、ＵＥを含む。
【０１５８】
受信端の具体的な方式（基本的に送信端の逆である）：
受信端は、サブフレームのＯＦＤＭ符号におけるその他の基地局が記述した許可されていないキャリアを占用する時間情報を受信し、且つ上記時間情報に基づきその他の基地局が許可されていないキャリアを占用する時間を取得する。時間情報はＤＣＩ形式でベアラされる。
【０１５９】
選択的に、受信端は、サブフレームの最初の１つ、又は２つ、又は３つ、又は４つのＯＦＤＭ符号におけるＰＤＣＣＨにおいて許可されていないキャリアの占用時間情報を受信する。或いはサブフレームの第２のスロットのＯＦＤＭ符号において上記ＤＣＩを受信する。或いはサブフレームに事前に約束したリソース位置において上記ＤＣＩを受信する。
【０１６０】
選択的に、受信端は約束したＤＣＩフォーマットでＰＤＣＣＨ又はｅＰＤＣＣＨにおいて上記時間情報を受信する。
【０１６１】
選択的に、受信端は、ＤＣＩにおけるビットに基づき、ビット意味を解析することで、その他のサイトが許可されていないキャリアを占用するサブフレームの位置を確定する。例えば、送信端がbitmap方式を使用して占用したサブフレームの情報を記述する際に、受信端は、bitmapのシグナリングに基づきどのサブフレームが占用されることを確定し、或いは、受信端は、ＤＣＩ情報を受信して、まずＤＣＩにおける該ＤＣＩにどのような方式を採用して許可されていないキャリアを占用する時間情報を記述することを指示するビットを解析して、更に許可されていないキャリアを占用する時間情報を記述するビットを解析して、占用したサブフレーム情報を確定する。
【０１６２】
選択的に、受信端は、アップリンクキャリアにおいて上記ＤＣＩ又はＵＣＩ情報を受信し、受信端は、ＤＣＩ又はＵＣＩ情報が記述してあることは送信端の近くのその他の基地局が許可されていないキャリアを占用する時間情報であると考える。
【０１６３】
選択的に、受信端はサブフレームの１つずつで上記ＤＣＩ情報を傍受して、許可されていないキャリアのビジーアイドル状態を確定する必要がある。
【０１６４】
選択的に、受信端は上記ＤＣＩ情報を受信して、ＤＣＩ情報におけるビット定義に基づき、まずＤＣＩ情報がどのような方式で許可されていないキャリアを占用する時間情報を記述しているかを確定し、更に許可されていないキャリアを占用する時間情報を確定する。
【０１６５】
選択的に、受信端は、基地局、中継局、ＵＥを含む。
【０１６６】
実施例１
基地局１は、認可されていないスペクトルをプリエンプトした後に、許可されていないキャリアのサブフレームの最初の２つのＯＦＤＭ符号におけるＰＤＣＣＨに許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に１回の占用が最大で１０msであり、即ち１０個のサブフレームである。
【０１６７】
基地局１は、ＤＣＩフォーマット３の最初の１０個のbitを占用時間情報を記述するシグナリングとして設定することができ、その他のビットを保留し続けて送信する。基地局１が連続的な５つのサブフレームを占用する必要がある際に、基地局１は、ＤＣＩフォーマット３の最初の５つのビットを１にセットし、続いて後の５つのビットを０にセットし、その他のビットを零にセットする。１番目の占用されるサブフレームが送信するＤＣＩ情報が「１１１１１０００００」であり、第１のビットが現在のサブフレームをマークし、１であると占用されることを示し、続いてまた４つのサブフレームが占用され、２番目のサブフレームが占用されたサブフレームが送信するＤＣＩ情報は「１１１１００００００」であり、第１のビットが現在のサブフレームをマークし、１であると占用されることを示し、続いてまた３つサブフレームが占用され、３番目のサブフレームが占用されたサブフレームが送信するＤＣＩ情報は「１１１０００００００」であり、第１のビットが現在のサブフレームをマ  BR>[クし、１であると占用されることを示し、続いてまた２つサブフレームが占用され、４番目のサブフレームが占用されたサブフレームが送信するＤＣＩ情報は「１１００００００００」であり、第１のビットが現在のサブフレームをマークし、１であると占用されることを示し、続いてまた１つのサブフレームが占用され、 ５番目のサブフレームが占用されたサブフレームが送信するＤＣＩ情報は「１０００００００００」であり、第１のビットが現在のサブフレームをマークし、１であると占用されることを示し、続いてまた０個のサブフレームが占用される。
【０１６８】
その他の基地局は、基地局１のＤＣＩシグナリングを受信した後に、シグナリングが約束した意味に基づき、基地局１の具体的な許可されていないキャリアを占用するサブフレーム情報を解析する。
【０１６９】
その他、基地局はプリエンプトした第１のサブフレームのみでＤＣＩを送信でき、例えば基地局１は連続的な５つのサブフレームを占用する必要がある際に、基地局１はＤＣＩの最初の５つのビットを１にセットし、続いて後の５つのビットを０にセットし、その他のビットを零とする。一番目の占用されたサブフレームが送信するＤＣＩ情報は 「１１１１１０００００」であり、第１のビットが現在のサブフレームをマークし、１であると占用されることを示し、続いてまた４つのサブフレームが占用される。基地局１は続いて続いた４つのサブフレームでプリエンプトしたＤＣＩ情報を送信する必要がない。その他の基地局は第１のサブフレームのみで前記ＤＣＩ情報を受信する必要があり、その後に４つのサブフレームも傍受する必要がなく、基地局１が占用したサブフレームは終わった後に、再び新しい受信又はプリエンプションを受信し始める。
【０１７０】
実施例２
（該実施例は未来時刻でリソースをプリエンプトする実例）
基地局１は認可されていないスペクトルをプリエンプトした後に、許可されていないキャリアのサブフレームの最初の２つのＯＦＤＭ符号におけるＰＤＣＣＨに、許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に１回の占用は最大で１０msであり、即ち１０個のサブフレームである。
【０１７１】
基地局１はＤＣＩフォーマット３の最初の１０個のbitを占用時間情報を記述するシグナリングとして設定することができ、その他のビットを保留し続けて送信する。基地局１は現在のサブフレーム（Ｋ番目）から４番目のサブフレーム（即ちｋ＋４）を占用する必要がある際に、基地局１はＤＣＩにおける占用時間情報を記述するビットを 「００００１０００００」とする。その他の基地局はＫ番目のサブフレームで基地局１の前記ＤＣＩ情報を受信して、解析した後に、基地局１はＫ番目のサブフレームで前記ＤＣＩ情報を送信して、ｋ＋４番目のサブフレームリソースをプリエンプトし、且つ基地局１はＫ番目のサブフレームを占用していないように理解できる。この時、基地局１のＤＣＩがＰＤＣＣＨ又はｅＰＤＣＣＨの非共通検索領域において送信することもできる。
【０１７２】
また例えば、基地局１はＤＣＩフォーマット３の最初の１０個のbitを占用時間情報を記述するシグナリングとして設定することができ、その他のビットを保留し続けて送信する。基地局１は現在のサブフレーム（Ｋ番目）及び続いた４、８番目のサブフレーム（即ちｋ、ｋ＋４とｋ＋８）を占用する必要がある際に、基地局１はＤＣＩにおける占用時間情報を記述するビットを「１０００１０００１０」とする。その他の基地局はＫ番目のサブフレームで基地局１の前記ＤＣＩ情報を受信して、解析した後に、基地局１はｋ、ｋ＋４とｋ＋８番目のサブフレームリソースをプリエンプトしようすることを理解できる。この時、基地局１のＤＣＩがＰＤＣＣＨ又はｅＰＤＣＣＨの非共通検索領域において送信することもできる。
【０１７３】
より多くのビットを設定してbitmap方式によってより多くのサブフレームプリエンプション情報を記述し、使用原則が類似する。
【０１７４】
その他の基地局は、約束に基づき基地局１のＤＣＩ情報を受信し、例えばサブフレームのそれぞれで受信でき、或いは基地局１がＤＣＩを送信した第１のサブフレームのみで受信する。その他の基地局は基地局１のＤＣＩシグナリングを受信した後に、シグナリングが約束した意味に基づき基地局１の具体的な許可されていないキャリアを占用するサブフレーム情報を解析する。
【０１７５】
実施例３
（該実施例はリソースを連続的にプリエンプション方式の実例）
基地局１は認可されていないスペクトルをプリエンプトした後に、許可されていないキャリアのサブフレームの最初の２つのＯＦＤＭ符号におけるＰＤＣＣＨにおいて許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に一回の占用が最大で１０msであり、即ち１０個のサブフレームである。
【０１７６】
基地局１はＤＣＩフォーマット３の最初の１０個のbitを占用時間情報を記述するシグナリングとして設定することができ、その他のビットを保留し続けて送信する。基地局１は連続的な５つのサブフレームを占用する必要がある際に、基地局１はＤＣＩフォーマット３の最初の５つのビットを１にセットし、続いた５つのビットを０にセットし、その他のビットを零にセットする。1番目の占用されたサブフレームが送信するＤＣＩ情報は「１１１１１０００００」であり、第１のビットが現在のサブフレームをマークし、１であると占用されることを示し、続いてまた４つのサブフレームが占用され、２番目のサブフレームが占用されたサブフレームが送信するＤＣＩ情報は「１１１１００００００」であり、第１のビットが現在のサブフレームをマークし、１であると占用されることを示し、続いてまた３つサブフレームが占用され、３番目のサブフレームが占用されたサブフレームが送信するＤＣＩ情報は「１１１０００００００」であり、第１のビットが現在のサブフレームをマークし、１であると占用されると示し、続いてまた２つサブフレームが占用され、この時、基地局１は、前記連続的な５つのサブフレームの後に更に３つのサブフレームを連続的にプリエンプトしないと、データ送信を完成できないことを発見し、基地局１は４番目のサブフレームが占用されることができるサブフレームで「１１１１１０００００」であるＤＣＩ情報を送信でき、第１のビットが現在のサブフレームをマークし、１であると占用されることを示し、続いてまた４つのサブフレームが占用され、 ５番目のサブフレームが占用されたサブフレームが送信するＤＣＩ情報は「１１１１００００００」であり、第１のビットが現在のサブフレームをマークし、１であると占用されることを示し、続いてまた３つサブフレームが占用される。６番目のサブフレームが占用されたサブフレームが送信するＤＣＩ情報は「１１１０００００００」であり、第１のビットが現在のサブフレームをマークし、１であると占用されることを示し、続いてまた２つサブフレームが占用される。７番目のサブフレームが占用されたサブフレームが送信するＤＣＩ情報は「１１００００００００」であり、第１のビットが現在のサブフレームをマークし、１であると占用されることを示し、続いてまた１つのサブフレームが占用される。８番目のサブフレームが占用されたサブフレームが送信するＤＣＩ情報は「１０００００００００」であり、第１のビットが現在のサブフレームをマークし、１であると占用されることを示し、続いてまた０個のサブフレームが占用される。
【０１７７】
このような場合に、その他の基地局は基地局１が占用したサブフレームのそれぞれで前記ＤＣＩ情報を受信し、或いは基地局１が占用した最後のサブフレームで前記ＤＣＩ情報を受信して、基地局１が許可されていないキャリアを占用する状況を確定することを求める。
【０１７８】
実施例４
（該実施例はフィードバックタイミング原則に基づきリソースをプリエンプトする方式の実例）
基地局１は認可されていないスペクトルをプリエンプトした後に、許可されていないキャリアのサブフレームの最初の２つのＯＦＤＭ符号におけるＰＤＣＣＨに許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に一回の占用が最大で１０msであり、即ち１０個のサブフレームである。
【０１７９】
基地局１はＤＣＩフォーマット３の最初の１０個のbitを占用時間情報を記述するシグナリングとして設定することができ、その他のビットを保留し続けて送信する。例えば基地局１は一つのサブフレームを占用してダウンリンクデータを伝送する必要があり、且つ該サブフレームの後にＵＥのＡＣＫ/ＮＡＣＫフィードバック情報を基地局１にアップリンクすることを待つ必要もある。基地局１はＤＣＩフォーマット３の最初の１０ビットを「１０００１０００００」とし、且つ送信する。基地局１は現在のサブフレーム（ｋと標示する）、及び続いたｋ＋４のサブフレームを占用し、ｋ＋１、ｋ＋２及びｋ＋３を占用しなく、その他の基地局はプリエンプトし使用できる。ここで、ｋとｋ＋４のサブフレームの占用は、主に現在のＬＴＥのＡＣＫ/ＮＡＣＫのフィードバックタイミング原則（即ちｋサブフレームで送信し、ｋ＋４サブフレームでフィードバックする）に準拠して、その他のシステムのフィードバックタイミング原則が異なると、ここで対応したフィードバックタイミング原則に準拠してサブフレームリソースを占用してもよい。
【０１８０】
実施例５
（該実施例は伝送状況に応じて、リソースを柔軟にプリエンプトする方式の実例）
基地局１は認可されていないスペクトルをプリエンプトした後に、許可されていないキャリアのサブフレームの最初の２つのＯＦＤＭ符号におけるＰＤＣＣＨに許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に１回の占用が最大で１０msであり、即ち１０個のサブフレームである。
【０１８１】
基地局１はＤＣＩフォーマット３の最初の１０個のbitを占用時間情報を記述するシグナリングとして設定することができ、その他のビットを保留し続けて送信する。例えば基地局１は一つのサブフレームを占用してダウンリンクデータを伝送する必要があり、且つ該サブフレームの後にＵＥのＡＣＫ/ＮＡＣＫフィードバック情報を基地局１にアップリンクすること、及び可能なダウンリンク再伝送を待つ必要がある。基地局１はＤＣＩフォーマット３の最初の１０ビットを「１０００１０００１０」とし、且つ送信する。基地局１は現在のサブフレーム（ｋとする）、及びその後のｋ＋４のサブフレームを占用してＵＥにＡＣＫ/ＮＡＣＫフィードバックをアップリンクし、及びＵＥがＮＡＣＫをフィードバックすると、基地局１は更にｋ＋８で再伝送し、ＵＥがＡＣＫをフィードバックすると、基地局はｋ＋８サブフレームを解放する。例えば基地局１はｋ＋５サブフレームで自分のリソース占用ＤＣＩ情報「００００００００００」を送信することができる。ここで、ｋ＋４番目のサブフレームはアップリンクであるため、基地局１が送信できなく、ダウンリンクであると、基地局１がｋ＋４サブフレームで「００００００００００」を送信する。
【０１８２】
実施例６
（該実施例はリソースを占用及び解放する方式の実施例）
基地局１は認可されていないスペクトルをプリエンプトした後に、許可されていないキャリアのサブフレームの最初の２つのＯＦＤＭ符号におけるＰＤＣＣＨに許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に１回の占用が最大で１０msであり、即ち１０個のサブフレームである。
【０１８３】
基地局１はＤＣＩフォーマット３の最初の１０個のbitを占用時間情報を記述するシグナリングとして設定することができ、その他のビットを保留し続けて送信する。例えば基地局１は複数のサブフレームを占用したが、基地局１の使用過程において、いくつのサブフレームが解放できることを発見すると、基地局１は占用した、且つ使用と確定する最後のサブフレームで、リソースを解放するＤＣＩシグナリングを送信する。具体的に、例えば、基地局１は連続的な５つのサブフレームを占用したところ、基地局１は自身が最初の３つのサブフレームを使用するだけで、２つのサブフレームが解放できることを発見する。基地局１は第１の占用サブフレームでＤＣＩシグナリング「１１１１１０００００」を送信し、第２の占用サブフレームでＤＣＩシグナリング「１１１１００００００」を送信し、３番目の占用サブフレームでＤＣＩシグナリング「１０００００００００」を送信する。この実例は基地局１が３番目の占用サブフレームで解放シグナリングを送信し、初めて基地局１が２番目のサブフレームでシグナリング（例えば「１１００００００００」）を送信でき、主に基地局１が解放できることを発見する時刻によって決められる。その他の基地局は基地局１の許可されていないキャリア占用情報を連続的に傍受した後に、基地局１が最後の２つのサブフレームを解放したことを知ることができる。
【０１８４】
実施例７
（該実施例はリソースを占用及び解放する方式の実例）
基地局１は認可されていないスペクトルをプリエンプトした後に、許可されていないキャリアのサブフレームの最初の２つのＯＦＤＭ符号におけるＰＤＣＣＨにおいて許可されていないキャリアを占用するサブフレーム情報を記述するＤＣＩを送信して、且つ約束したＲＮＴＩを使用してＤＣＩをスクランブリングする。例えばＤＣＩフォーマット３を使用してbitmap方式で基地局１が占用したサブフレーム情報を記述することを指定する。仮に１回の占用が最大で１０msであり、即ち１０個のサブフレームである。
【０１８５】
２種の時間占用情報を記述する方式を設定し、１種はbitmap方式を使用して、依然としてＤＣＩシグナリングの１０bits（この時、第２のbit〜第１１のbitである）を使用し、もう１つは連続記述の方式を使用して、例えば現在のサブフレームから、続いて連続的になどのぐらいサブフレームが占用されるかを記述し、この時のビット数は具体的な標準状況に応じて確定され、１６bits（具体的にＤＣＩシグナリングの第２のbit〜第１７のbitとする。このような方式は許可されていないキャリアに対して最大の一回占用時間の制限がない国家に実施することにより適する。ＤＣＩシグナリングの第１のビットはどの方式を使用して時間占用情報を記述するかを指示し、該ビット位を１とすると、bitmap方式を採用することを示し、０であると連続記述方式を使用する。
【０１８６】
基地局１は５つのサブフレームを占用して、基地局１はＤＣＩシグナリングの第１のビットを１とし、続く第２〜第１１ビットを「１１１１１０００００」とし、且つ占用した第１のサブフレームで送信する。その他の基地局は該ＤＣＩシグナリングを受信した後に、まず第１ビットを解析して、次に第１ビットの意味に基づき続いたサブフレーム占用状況を記述するサブフレームを解析する。
【０１８７】
また例えば、基地局１は３０個のサブフレームを占用し、基地局１はＤＣＩシグナリングの第１のビットを０とし、続く第２〜第１７ビットを「００００、００００、０００1、１１１０」とし、且つ占用した第１のサブフレームで送信する。その他の基地局は該ＤＣＩシグナリングを受信した後に、まず第１ビットを解析して、次に第１ビットの意味に基づき続いたサブフレーム占用状況を記述するサブフレームを解析する。
【０１８８】
その他の基地は、基地局１が占用したサブフレームのそれぞれに前記ＤＣＩを受信する必要があり、基地局１が許可されていないキャリアを解放したか否かを発見するためである。
【０１８９】
他の実施例において、ソフトウェアを更に提供し、該ソフトウェアは上記実施例及び実施例に記述した技術方式を実行するように設定される。
【０１９０】
他の実施例において、記憶媒体を更に提供し、該記憶媒体に上記ソフトウェアが記憶され、該記憶媒体はコンパクトディスク、フロッピーディスク、ハードディスク、消去可能なメモリ等を含むが、これらに制限されない。
【０１９１】
当業者は、上記の本発明の各モジュール又は各ステップは汎用の計算装置によって実現することができ、それらは単一の計算装置に集積してもよいし、又は複数の計算装置からなるネットワークに配布されてもよく、選択的に、それらは、計算装置が実行可能なプログラムコードで実現してもよく、それにより、それらを記憶装置に記憶して計算装置で実行してもよく、且つある場合には、ここでの順序と異なる順序で示した又は記述したステップを実行してもよく、又はそれらをそれぞれ各集積回路モジュールに製造して、又はそれらにおける複数のモジュール又はステップを単一の集積回路モジュールに製造して実現してもよいことを了解すべきである。このように、本発明はいずれの特定なハードウェアとソフトウェアの組み合わせに限定されるものではない。
【０１９２】
以上で本発明の実施例であるだけに過ぎず、本発明を制限するためのものではなく、当業者にとって、本発明の様々な変更や変化が可能である。本発明の趣旨と原則を逸脱しない限りにおいて行ったいずれの変更、等価置き換え、改良等は、いずれも本発明の保護範囲に含まれる。
【産業上の利用可能性】
【０１９３】
以上のように、本発明の実施例による情報送信方法、情報受信方法、装置及びシステムは、以下の有益な効果を奏し、関連技術における基地局の間で如何に互いに許可されていないキャリアの占用状況を通知するかという問題を解決し、無線通信システムにおいて許可されていないキャリアの協調利用のための利便を提供し、許可されていないキャリアの利用率を向上させる。
【図１】
0006464234.tif 000002
【図２】
0006464234.tif 000003
【図３】
0006464234.tif 000004
【図４】
0006464234.tif 000005
【図５】
0006464234.tif 000006
【図６】
0006464234.tif 000007
【図７】
0006464234.tif 000008
【図８】
0006464234.tif 000009